(57)【特許請求の範囲】
【請求項１】
配達員の顔認証を行うことにより配達員が所定のスペースに入ることを認容する複数のエッジ端末および配達会社の管理システムにそれぞれ通信可能に接続された管理サーバであって、
配達員のエリア情報および顔画像に関する情報を受け付ける登録情報受付手段と、
前記登録情報受付手段により受け付けた配達員の顔画像に関する情報を、当該顔画像に対応する配達員により荷物が配達されるエリアの前記エッジ端末に送信することにより当該エッジ端末での配達員の顔認証を可能にする登録情報送信手段と、
荷物の受取人の端末から荷物の配達に関する情報を受け付ける配達情報受付手段と、
前記配達会社の前記管理システムから配達完了通知を受け付ける配達完了通知受付手段と、
前記配達完了通知受付手段により配達完了通知を受け付けると、荷物の受取人の前記端末に配達完了通知を送信する配達完了通知送信手段と、
前記配達情報受付手段により荷物の配達に関する情報を受け付けると、荷物の配達に関する情報を前記配達会社の前記管理システムに送信する配達情報送信手段と、
荷物の配達に関する情報に紐づけられたトークン情報を前記配達会社の前記管理システムから受け付けるトークン情報受付手段と、
を備え、
前記管理サーバにおいて、前記配達情報受付手段により受け付けた荷物の配達に関する情報と前記トークン情報受付手段により受け付けたトークン情報とが紐づけられて管理され、
前記配達完了通知受付手段は、前記配達会社の前記管理システムから配達完了通知としてトークン情報を受け付け、
前記配達完了通知送信手段は、前記配達完了通知受付手段により配達完了通知としてトークン情報を受け付けると、当該トークン情報に紐づけられている荷物の配達に関する情報に基づいて、荷物の受取人の前記端末に配達完了通知を送信する、管理サーバ。
【請求項２】
前記配達情報受付手段により受け付ける荷物の配達に関する情報は、荷物の受取人の前記端末の電話番号である、請求項１記載の管理サーバ。
【請求項３】
配達員の顔認証を行うことにより配達員が所定のスペースに入ることを認容する複数のエッジ端末および配達会社の管理システムにそれぞれ通信可能に接続された管理サーバであって、
配達員のエリア情報および顔画像に関する情報を受け付ける登録情報受付手段と、
前記登録情報受付手段により受け付けた配達員の顔画像に関する情報を、当該顔画像に対応する配達員により荷物が配達されるエリアの前記エッジ端末に送信することにより当該エッジ端末での配達員の顔認証を可能にする登録情報送信手段と、
荷物の受取人の端末から荷物の配達に関する情報を受け付ける配達情報受付手段と、
前記配達会社の前記管理システムから配達完了通知を受け付ける配達完了通知受付手段と、
前記配達完了通知受付手段により配達完了通知を受け付けると、荷物の受取人の前記端末に配達完了通知を送信する配達完了通知送信手段と、
を備え、
前記配達情報受付手段により受け付ける荷物の配達に関する情報は、荷物の送り状番号に係る情報であり、
前記配達情報受付手段により荷物の配達に関する情報として荷物の送り状番号に係る情報を受け付けると、荷物の送り状番号に係る情報を前記配達会社の前記管理システムに定期的に送信する送り状番号送信手段を更に備え、
前記配達完了通知送信手段は、前記配達完了通知受付手段により配達完了通知を受け付けると、前記配達情報受付手段により荷物の配達に関する情報を受け付けた前記端末に配達完了通知を送信する、管理サーバ。
【請求項４】
配達員の顔認証を行うことにより配達員が所定のスペースに入ることを認容する複数のエッジ端末および配達会社の管理システムにそれぞれ通信可能に接続された管理サーバであって、
配達員のエリア情報および顔画像に関する情報を受け付ける登録情報受付手段と、
前記登録情報受付手段により受け付けた配達員の顔画像に関する情報を、当該顔画像に対応する配達員により荷物が配達されるエリアの前記エッジ端末に送信することにより当該エッジ端末での配達員の顔認証を可能にする登録情報送信手段と、
荷物の受取人の端末から荷物の配達に関する情報を受け付ける配達情報受付手段と、
前記配達会社の前記管理システムから配達完了通知を受け付ける配達完了通知受付手段と、
前記配達完了通知受付手段により配達完了通知を受け付けると、荷物の受取人の前記端末に配達完了通知を送信する配達完了通知送信手段と、
を備え、
前記配達情報受付手段により受け付ける荷物の配達に関する情報は、荷物の受取人の前記端末の電話番号であり、
前記配達完了通知受付手段は、前記配達会社の前記管理システムから配達完了通知を受け付ける際に荷物の受取人の前記端末の電話番号に関する情報も受け付け、
前記配達完了通知送信手段は、前記配達情報受付手段により受け付けた荷物の受取人の前記端末の電話番号が、前記配達完了通知受付手段により受け付けた荷物の受取人の前記端末の電話番号と一致すると、荷物の受取人の前記端末に配達完了通知を送信する、管理サーバ。
【請求項５】
荷物の受取人の前記端末には配達確認アプリをインストールすることができるようになっており、
前記配達情報受付手段は、荷物の受取人の前記端末にインストールされた配達確認アプリから荷物の配達に関する情報を受け付ける、請求項１乃至４のいずれか一項に記載の管理サーバ。
【請求項６】
前記配達完了通知送信手段は、荷物の受取人の前記端末に配達完了通知を送信することにより、当該端末にインストールされた配達確認アプリにより配達完了通知を荷物の受取人に対して行う、請求項５記載の管理サーバ。
【請求項７】
配達員の顔認証を行うことにより配達員が所定のスペースに入ることを認容する複数のエッジ端末および配達会社の管理システムにそれぞれ通信可能に接続された管理サーバによる配達管理方法であって、
配達員のエリア情報および顔画像に関する情報を受け付ける工程と、
受け付けた配達員の顔画像に関する情報を、当該顔画像に対応する配達員により荷物が配達されるエリアの前記エッジ端末に送信することにより当該エッジ端末での配達員の顔認証を可能にする工程と、
荷物の受取人の端末から荷物の配達に関する情報を受け付ける工程と、
荷物の配達に関する情報を受け付けると、荷物の配達に関する情報を前記配達会社の前記管理システムに送信する工程と、
荷物の配達に関する情報に紐づけられたトークン情報を前記配達会社の前記管理システムから受け付ける工程と、
前記配達会社の前記管理システムから配達完了通知を受け付ける工程と、
配達完了通知を受け付けると、荷物の受取人の前記端末に配達完了通知を送信する工程と、
を備え、
前記管理サーバにおいて、受け付けた荷物の配達に関する情報と受け付けたトークン情報とが紐づけられて管理され、
前記配達会社の前記管理システムから配達完了通知としてトークン情報を受け付け、
配達完了通知としてトークン情報を受け付けると、当該トークン情報に紐づけられている荷物の配達に関する情報に基づいて、荷物の受取人の前記端末に配達完了通知を送信する、配達管理方法。
【請求項８】
荷物の配達に関する情報は、荷物の受取人の前記端末の電話番号である、請求項７記載の配達管理方法。
【請求項９】
配達員の顔認証を行うことにより配達員が所定のスペースに入ることを認容する複数のエッジ端末および配達会社の管理システムにそれぞれ通信可能に接続された管理サーバによる配達管理方法であって、
配達員のエリア情報および顔画像に関する情報を受け付ける工程と、
受け付けた配達員の顔画像に関する情報を、当該顔画像に対応する配達員により荷物が配達されるエリアの前記エッジ端末に送信することにより当該エッジ端末での配達員の顔認証を可能にする工程と、
荷物の受取人の端末から荷物の配達に関する情報を受け付ける工程と、
前記配達会社の前記管理システムから配達完了通知を受け付ける工程と、
配達完了通知を受け付けると、荷物の受取人の前記端末に配達完了通知を送信する工程と、
を備え、
荷物の配達に関する情報は、荷物の送り状番号に係る情報であり、
荷物の配達に関する情報として荷物の送り状番号に係る情報を受け付けると、荷物の送り状番号に係る情報を前記配達会社の前記管理システムに定期的に送信する工程を更に備え、
配達完了通知を受け付けると、荷物の配達に関する情報を受け付けた前記端末に配達完了通知を送信する、配達管理方法。
【請求項１０】
配達員の顔認証を行うことにより配達員が所定のスペースに入ることを認容する複数のエッジ端末および配達会社の管理システムにそれぞれ通信可能に接続された管理サーバによる配達管理方法であって、
配達員のエリア情報および顔画像に関する情報を受け付ける工程と、
受け付けた配達員の顔画像に関する情報を、当該顔画像に対応する配達員により荷物が配達されるエリアの前記エッジ端末に送信することにより当該エッジ端末での配達員の顔認証を可能にする工程と、
荷物の受取人の端末から荷物の配達に関する情報を受け付ける工程と、
前記配達会社の前記管理システムから配達完了通知を受け付ける工程と、
配達完了通知を受け付けると、荷物の受取人の前記端末に配達完了通知を送信する工程と、
を備え、
荷物の配達に関する情報は、荷物の受取人の前記端末の電話番号であり、
前記配達会社の前記管理システムから配達完了通知を受け付ける際に荷物の受取人の前記端末の電話番号に関する情報も受け付け、
荷物の受取人の前記端末から受け付けた荷物の受取人の前記端末の電話番号が、前記配達会社の前記管理システムから配達完了通知を受け付ける際に受け付けた荷物の受取人の前記端末の電話番号と一致すると、荷物の受取人の前記端末に配達完了通知を送信する、配達管理方法。
【請求項１１】
プロセッサにより実行される、配達員の顔認証を行うことにより配達員が所定のスペースに入ることを認容する複数のエッジ端末および配達会社の管理システムにそれぞれ通信可能に接続された管理サーバにより配達管理方法を行うためのプログラムであって、
前記プロセッサが前記プログラムを実行することにより、
配達員のエリア情報および顔画像に関する情報を受け付け、
受け付けた配達員の顔画像に関する情報を、当該顔画像に対応する配達員により荷物が配達されるエリアの前記エッジ端末に送信することにより当該エッジ端末での配達員の顔認証を可能にし、
荷物の配達に関する情報を受け付け、
荷物の配達に関する情報を受け付けると、荷物の配達に関する情報を前記配達会社の前記管理システムに送信し、
荷物の配達に関する情報に紐づけられたトークン情報を前記配達会社の前記管理システムから受け付け、
前記配達会社の前記管理システムから配達完了通知を受け付け、
配達完了通知を受け付けると、荷物の受取人の端末に配達完了通知を送信する処理が行われるようになっており、
前記管理サーバにおいて、受け付けた荷物の配達に関する情報と受け付けたトークン情報とが紐づけられて管理され、
前記配達会社の前記管理システムから配達完了通知としてトークン情報を受け付け、
配達完了通知としてトークン情報を受け付けると、当該トークン情報に紐づけられている荷物の配達に関する情報に基づいて、荷物の受取人の前記端末に配達完了通知を送信する、プログラム。
【請求項１２】
プロセッサにより実行される、配達員の顔認証を行うことにより配達員が所定のスペースに入ることを認容する複数のエッジ端末および配達会社の管理システムにそれぞれ通信可能に接続された管理サーバにより配達管理方法を行うためのプログラムであって、
前記プロセッサが前記プログラムを実行することにより、
配達員のエリア情報および顔画像に関する情報を受け付け、
受け付けた配達員の顔画像に関する情報を、当該顔画像に対応する配達員により荷物が配達されるエリアの前記エッジ端末に送信することにより当該エッジ端末での配達員の顔認証を可能にし、
荷物の配達に関する情報を受け付け、
前記配達会社の前記管理システムから配達完了通知を受け付け、
配達完了通知を受け付けると、荷物の受取人の端末に配達完了通知を送信する処理が行われるようになっており、
荷物の配達に関する情報は、荷物の送り状番号に係る情報であり、
荷物の配達に関する情報として荷物の送り状番号に係る情報を受け付けると、荷物の送り状番号に係る情報を前記配達会社の前記管理システムに定期的に送信し、
配達完了通知を受け付けると、荷物の配達に関する情報を受け付けた前記端末に配達完了通知を送信する、プログラム。
【請求項１３】
プロセッサにより実行される、配達員の顔認証を行うことにより配達員が所定のスペースに入ることを認容する複数のエッジ端末および配達会社の管理システムにそれぞれ通信可能に接続された管理サーバにより配達管理方法を行うためのプログラムであって、
前記プロセッサが前記プログラムを実行することにより、
配達員のエリア情報および顔画像に関する情報を受け付け、
受け付けた配達員の顔画像に関する情報を、当該顔画像に対応する配達員により荷物が配達されるエリアの前記エッジ端末に送信することにより当該エッジ端末での配達員の顔認証を可能にし、
荷物の配達に関する情報を受け付け、
前記配達会社の前記管理システムから配達完了通知を受け付け、
配達完了通知を受け付けると、荷物の受取人の端末に配達完了通知を送信する処理が行われるようになっており、
荷物の配達に関する情報は、荷物の受取人の前記端末の電話番号であり、
前記配達会社の前記管理システムから配達完了通知を受け付ける際に荷物の受取人の前記端末の電話番号に関する情報も受け付け、
荷物の受取人の前記端末から受け付けた荷物の受取人の前記端末の電話番号が、前記配達会社の前記管理システムから配達完了通知を受け付ける際に受け付けた荷物の受取人の前記端末の電話番号と一致すると、荷物の受取人の前記端末に配達完了通知を送信する、プログラム。
【請求項１４】
プロセッサにより実行される、配達員の顔認証を行うことにより配達員が所定のスペースに入ることを認容する複数のエッジ端末および配達会社の管理システムにそれぞれ通信可能に接続された管理サーバにより配達管理方法を行うためのプログラムが記録された記録媒体であって、
前記プロセッサが前記プログラムを実行することにより、
配達員のエリア情報および顔画像に関する情報を受け付け、
受け付けた配達員の顔画像に関する情報を、当該顔画像に対応する配達員により荷物が配達されるエリアの前記エッジ端末に送信することにより当該エッジ端末での配達員の顔認証を可能にし、
荷物の配達に関する情報を受け付け、
荷物の配達に関する情報を受け付けると、荷物の配達に関する情報を前記配達会社の前記管理システムに送信し、
荷物の配達に関する情報に紐づけられたトークン情報を前記配達会社の前記管理システムから受け付け、
前記配達会社の前記管理システムから配達完了通知を受け付け、
配達完了通知を受け付けると、荷物の受取人の端末に配達完了通知を送信する処理が行われるようになっており、
前記管理サーバにおいて、受け付けた荷物の配達に関する情報と受け付けたトークン情報とが紐づけられて管理され、
前記配達会社の前記管理システムから配達完了通知としてトークン情報を受け付け、
配達完了通知としてトークン情報を受け付けると、当該トークン情報に紐づけられている荷物の配達に関する情報に基づいて、荷物の受取人の前記端末に配達完了通知を送信する、記録媒体。
【請求項１５】
プロセッサにより実行される、配達員の顔認証を行うことにより配達員が所定のスペースに入ることを認容する複数のエッジ端末および配達会社の管理システムにそれぞれ通信可能に接続された管理サーバにより配達管理方法を行うためのプログラムが記録された記録媒体であって、
前記プロセッサが前記プログラムを実行することにより、
配達員のエリア情報および顔画像に関する情報を受け付け、
受け付けた配達員の顔画像に関する情報を、当該顔画像に対応する配達員により荷物が配達されるエリアの前記エッジ端末に送信することにより当該エッジ端末での配達員の顔認証を可能にし、
荷物の配達に関する情報を受け付け、
前記配達会社の前記管理システムから配達完了通知を受け付け、
配達完了通知を受け付けると、荷物の受取人の端末に配達完了通知を送信する処理が行われるようになっており、
荷物の配達に関する情報は、荷物の送り状番号に係る情報であり、
荷物の配達に関する情報として荷物の送り状番号に係る情報を受け付けると、荷物の送り状番号に係る情報を前記配達会社の前記管理システムに定期的に送信し、
配達完了通知を受け付けると、荷物の配達に関する情報を受け付けた前記端末に配達完了通知を送信する、記録媒体。
【請求項１６】
プロセッサにより実行される、配達員の顔認証を行うことにより配達員が所定のスペースに入ることを認容する複数のエッジ端末および配達会社の管理システムにそれぞれ通信可能に接続された管理サーバにより配達管理方法を行うためのプログラムが記録された記録媒体であって、
前記プロセッサが前記プログラムを実行することにより、
配達員のエリア情報および顔画像に関する情報を受け付け、
受け付けた配達員の顔画像に関する情報を、当該顔画像に対応する配達員により荷物が配達されるエリアの前記エッジ端末に送信することにより当該エッジ端末での配達員の顔認証を可能にし、
荷物の配達に関する情報を受け付け、
前記配達会社の前記管理システムから配達完了通知を受け付け、
配達完了通知を受け付けると、荷物の受取人の端末に配達完了通知を送信する処理が行われるようになっており、
荷物の配達に関する情報は、荷物の受取人の前記端末の電話番号であり、
前記配達会社の前記管理システムから配達完了通知を受け付ける際に荷物の受取人の前記端末の電話番号に関する情報も受け付け、
荷物の受取人の前記端末から受け付けた荷物の受取人の前記端末の電話番号が、前記配達会社の前記管理システムから配達完了通知を受け付ける際に受け付けた荷物の受取人の前記端末の電話番号と一致すると、荷物の受取人の前記端末に配達完了通知を送信する、記録媒体。
【発明の詳細な説明】
【技術分野】
【０００１】
本発明は、管理サーバ、配達管理方法、プログラムおよび記録媒体に関する。
【背景技術】
【０００２】
近年、配達会社による荷物の配達業務において、あらかじめ荷物の受取人により指定された場所に非対面で荷物を届けるサービス（いわゆる「置き配」）が用いられるようになっている。このような置き配サービスでは、例えばオートロック設備のある集合住宅に荷物を配達する際に、適切にオートロックを開錠する必要がある。このような課題を解決するにあたり、特許文献１には、建築物のエントランス入口に設置されたオートロックの自動ドアを開くための開錠装置を制御する制御サーバに係る発明が開示されている。
【先行技術文献】
【特許文献】
【０００３】
【特許文献１】特開２０２０−５３０４７号公報
【発明の概要】
【発明が解決しようとする課題】
【０００４】
置き配サービスでは、例えばオートロック設備のある集合住宅に荷物を配達する際に、配達員が誰でも集合住宅の内部に入ることができるようにした場合には管理上の問題がある。また、荷物の受取人により指定された場所に荷物が置かれたら、配達が完了したことを受取人に通知することが望ましい。
【０００５】
本発明は、このような点を考慮してなされたものであり、所定の配達員のみが所定のスペースに入ることを認容するとともに、この所定のスペースに入った配達員によって荷物の受取人により指定された場所に荷物が置かれたら受取人に配達完了通知を送ることができる管理サーバ、配達管理方法、プログラムおよび記録媒体を提供することを目的とする。
【課題を解決するための手段】
【０００６】
本発明の管理サーバは、
配達員の顔認証を行うことにより配達員が所定のスペースに入ることを認容する複数のエッジ端末および配達会社の管理システムにそれぞれ通信可能に接続された管理サーバであって、
配達員のエリア情報および顔画像に関する情報を受け付ける登録情報受付手段と、
前記登録情報受付手段により受け付けた配達員の顔画像に関する情報を、当該顔画像に対応する配達員により荷物が配達されるエリアの前記エッジ端末に送信することにより当該エッジ端末での配達員の顔認証を可能にする登録情報送信手段と、
荷物の受取人の端末から荷物の配達に関する情報を受け付ける配達情報受付手段と、
前記配達会社の前記管理システムから配達完了通知を受け付ける配達完了通知受付手段と、
前記配達完了通知受付手段により配達完了通知を受け付けると、荷物の受取人の前記端末に配達完了通知を送信する配達完了通知送信手段と、
前記配達情報受付手段により荷物の配達に関する情報を受け付けると、荷物の配達に関する情報を前記配達会社の前記管理システムに送信する配達情報送信手段と、
荷物の配達に関する情報に紐づけられたトークン情報を前記配達会社の前記管理システムから受け付けるトークン情報受付手段と、
を備え、
前記管理サーバにおいて、前記配達情報受付手段により受け付けた荷物の配達に関する情報と前記トークン情報受付手段により受け付けたトークン情報とが紐づけられて管理され、
前記配達完了通知受付手段は、前記配達会社の前記管理システムから配達完了通知としてトークン情報を受け付け、
前記配達完了通知送信手段は、前記配達完了通知受付手段により配達完了通知としてトークン情報を受け付けると、当該トークン情報に紐づけられている荷物の配達に関する情報に基づいて、荷物の受取人の前記端末に配達完了通知を送信することを特徴とする。
また、本発明の管理サーバは、
配達員の顔認証を行うことにより配達員が所定のスペースに入ることを認容する複数のエッジ端末および配達会社の管理システムにそれぞれ通信可能に接続された管理サーバであって、
配達員のエリア情報および顔画像に関する情報を受け付ける登録情報受付手段と、
前記登録情報受付手段により受け付けた配達員の顔画像に関する情報を、当該顔画像に対応する配達員により荷物が配達されるエリアの前記エッジ端末に送信することにより当該エッジ端末での配達員の顔認証を可能にする登録情報送信手段と、
荷物の受取人の端末から荷物の配達に関する情報を受け付ける配達情報受付手段と、
前記配達会社の前記管理システムから配達完了通知を受け付ける配達完了通知受付手段と、
前記配達完了通知受付手段により配達完了通知を受け付けると、荷物の受取人の前記端末に配達完了通知を送信する配達完了通知送信手段と、
を備え、
前記配達情報受付手段により受け付ける荷物の配達に関する情報は、荷物の送り状番号に係る情報であり、
前記配達情報受付手段により荷物の配達に関する情報として荷物の送り状番号に係る情報を受け付けると、荷物の送り状番号に係る情報を前記配達会社の前記管理システムに定期的に送信する送り状番号送信手段を更に備え、
前記配達完了通知送信手段は、前記配達完了通知受付手段により配達完了通知を受け付けると、前記配達情報受付手段により荷物の配達に関する情報を受け付けた前記端末に配達完了通知を送信することを特徴とする。
また、本発明の管理サーバは、
配達員の顔認証を行うことにより配達員が所定のスペースに入ることを認容する複数のエッジ端末および配達会社の管理システムにそれぞれ通信可能に接続された管理サーバであって、
配達員のエリア情報および顔画像に関する情報を受け付ける登録情報受付手段と、
前記登録情報受付手段により受け付けた配達員の顔画像に関する情報を、当該顔画像に対応する配達員により荷物が配達されるエリアの前記エッジ端末に送信することにより当該エッジ端末での配達員の顔認証を可能にする登録情報送信手段と、
荷物の受取人の端末から荷物の配達に関する情報を受け付ける配達情報受付手段と、
前記配達会社の前記管理システムから配達完了通知を受け付ける配達完了通知受付手段と、
前記配達完了通知受付手段により配達完了通知を受け付けると、荷物の受取人の前記端末に配達完了通知を送信する配達完了通知送信手段と、
を備え、
前記配達情報受付手段により受け付ける荷物の配達に関する情報は、荷物の受取人の前記端末の電話番号であり、
前記配達完了通知受付手段は、前記配達会社の前記管理システムから配達完了通知を受け付ける際に荷物の受取人の前記端末の電話番号に関する情報も受け付け、
前記配達完了通知送信手段は、前記配達情報受付手段により受け付けた荷物の受取人の前記端末の電話番号が、前記配達完了通知受付手段により受け付けた荷物の受取人の前記端末の電話番号と一致すると、荷物の受取人の前記端末に配達完了通知を送信することを特徴とする。
【０００７】
本発明の配達管理方法は、
配達員の顔認証を行うことにより配達員が所定のスペースに入ることを認容する複数のエッジ端末および配達会社の管理システムにそれぞれ通信可能に接続された管理サーバによる配達管理方法であって、
配達員のエリア情報および顔画像に関する情報を受け付ける工程と、
受け付けた配達員の顔画像に関する情報を、当該顔画像に対応する配達員により荷物が配達されるエリアの前記エッジ端末に送信することにより当該エッジ端末での配達員の顔認証を可能にする工程と、
荷物の受取人の端末から荷物の配達に関する情報を受け付ける工程と、
荷物の配達に関する情報を受け付けると、荷物の配達に関する情報を前記配達会社の前記管理システムに送信する工程と、
荷物の配達に関する情報に紐づけられたトークン情報を前記配達会社の前記管理システムから受け付ける工程と、
前記配達会社の前記管理システムから配達完了通知を受け付ける工程と、
配達完了通知を受け付けると、荷物の受取人の前記端末に配達完了通知を送信する工程と、
を備え、
前記管理サーバにおいて、受け付けた荷物の配達に関する情報と受け付けたトークン情報とが紐づけられて管理され、
前記配達会社の前記管理システムから配達完了通知としてトークン情報を受け付け、
配達完了通知としてトークン情報を受け付けると、当該トークン情報に紐づけられている荷物の配達に関する情報に基づいて、荷物の受取人の前記端末に配達完了通知を送信することを特徴とする。
また、本発明の配達管理方法は、
配達員の顔認証を行うことにより配達員が所定のスペースに入ることを認容する複数のエッジ端末および配達会社の管理システムにそれぞれ通信可能に接続された管理サーバによる配達管理方法であって、
配達員のエリア情報および顔画像に関する情報を受け付ける工程と、
受け付けた配達員の顔画像に関する情報を、当該顔画像に対応する配達員により荷物が配達されるエリアの前記エッジ端末に送信することにより当該エッジ端末での配達員の顔認証を可能にする工程と、
荷物の受取人の端末から荷物の配達に関する情報を受け付ける工程と、
前記配達会社の前記管理システムから配達完了通知を受け付ける工程と、
配達完了通知を受け付けると、荷物の受取人の前記端末に配達完了通知を送信する工程と、
を備え、
荷物の配達に関する情報は、荷物の送り状番号に係る情報であり、
荷物の配達に関する情報として荷物の送り状番号に係る情報を受け付けると、荷物の送り状番号に係る情報を前記配達会社の前記管理システムに定期的に送信する工程を更に備え、
配達完了通知を受け付けると、荷物の配達に関する情報を受け付けた前記端末に配達完了通知を送信することを特徴とする。
また、本発明の配達管理方法は、
配達員の顔認証を行うことにより配達員が所定のスペースに入ることを認容する複数のエッジ端末および配達会社の管理システムにそれぞれ通信可能に接続された管理サーバによる配達管理方法であって、
配達員のエリア情報および顔画像に関する情報を受け付ける工程と、
受け付けた配達員の顔画像に関する情報を、当該顔画像に対応する配達員により荷物が配達されるエリアの前記エッジ端末に送信することにより当該エッジ端末での配達員の顔認証を可能にする工程と、
荷物の受取人の端末から荷物の配達に関する情報を受け付ける工程と、
前記配達会社の前記管理システムから配達完了通知を受け付ける工程と、
配達完了通知を受け付けると、荷物の受取人の前記端末に配達完了通知を送信する工程と、
を備え、
荷物の配達に関する情報は、荷物の受取人の前記端末の電話番号であり、
前記配達会社の前記管理システムから配達完了通知を受け付ける際に荷物の受取人の前記端末の電話番号に関する情報も受け付け、
荷物の受取人の前記端末から受け付けた荷物の受取人の前記端末の電話番号が、前記配達会社の前記管理システムから配達完了通知を受け付ける際に受け付けた荷物の受取人の前記端末の電話番号と一致すると、荷物の受取人の前記端末に配達完了通知を送信することを特徴とする。
【０００８】
本発明のプログラムは、
プロセッサにより実行される、配達員の顔認証を行うことにより配達員が所定のスペースに入ることを認容する複数のエッジ端末および配達会社の管理システムにそれぞれ通信可能に接続された管理サーバにより配達管理方法を行うためのプログラムであって、
前記プロセッサが前記プログラムを実行することにより、
配達員のエリア情報および顔画像に関する情報を受け付け、
受け付けた配達員の顔画像に関する情報を、当該顔画像に対応する配達員により荷物が配達されるエリアの前記エッジ端末に送信することにより当該エッジ端末での配達員の顔認証を可能にし、
荷物の配達に関する情報を受け付け、
荷物の配達に関する情報を受け付けると、荷物の配達に関する情報を前記配達会社の前記管理システムに送信し、
荷物の配達に関する情報に紐づけられたトークン情報を前記配達会社の前記管理システムから受け付け、
前記配達会社の前記管理システムから配達完了通知を受け付け、
配達完了通知を受け付けると、荷物の受取人の端末に配達完了通知を送信する処理が行われるようになっており、
前記管理サーバにおいて、受け付けた荷物の配達に関する情報と受け付けたトークン情報とが紐づけられて管理され、
前記配達会社の前記管理システムから配達完了通知としてトークン情報を受け付け、
配達完了通知としてトークン情報を受け付けると、当該トークン情報に紐づけられている荷物の配達に関する情報に基づいて、荷物の受取人の前記端末に配達完了通知を送信することを特徴とする。
また、本発明のプログラムは、
プロセッサにより実行される、配達員の顔認証を行うことにより配達員が所定のスペースに入ることを認容する複数のエッジ端末および配達会社の管理システムにそれぞれ通信可能に接続された管理サーバにより配達管理方法を行うためのプログラムであって、
前記プロセッサが前記プログラムを実行することにより、
配達員のエリア情報および顔画像に関する情報を受け付け、
受け付けた配達員の顔画像に関する情報を、当該顔画像に対応する配達員により荷物が配達されるエリアの前記エッジ端末に送信することにより当該エッジ端末での配達員の顔認証を可能にし、
荷物の配達に関する情報を受け付け、
前記配達会社の前記管理システムから配達完了通知を受け付け、
配達完了通知を受け付けると、荷物の受取人の端末に配達完了通知を送信する処理が行われるようになっており、
荷物の配達に関する情報は、荷物の送り状番号に係る情報であり、
荷物の配達に関する情報として荷物の送り状番号に係る情報を受け付けると、荷物の送り状番号に係る情報を前記配達会社の前記管理システムに定期的に送信し、
配達完了通知を受け付けると、荷物の配達に関する情報を受け付けた前記端末に配達完了通知を送信することを特徴とする。
また、本発明のプログラムは、
プロセッサにより実行される、配達員の顔認証を行うことにより配達員が所定のスペースに入ることを認容する複数のエッジ端末および配達会社の管理システムにそれぞれ通信可能に接続された管理サーバにより配達管理方法を行うためのプログラムであって、
前記プロセッサが前記プログラムを実行することにより、
配達員のエリア情報および顔画像に関する情報を受け付け、
受け付けた配達員の顔画像に関する情報を、当該顔画像に対応する配達員により荷物が配達されるエリアの前記エッジ端末に送信することにより当該エッジ端末での配達員の顔認証を可能にし、
荷物の配達に関する情報を受け付け、
前記配達会社の前記管理システムから配達完了通知を受け付け、
配達完了通知を受け付けると、荷物の受取人の端末に配達完了通知を送信する処理が行われるようになっており、
荷物の配達に関する情報は、荷物の受取人の前記端末の電話番号であり、
前記配達会社の前記管理システムから配達完了通知を受け付ける際に荷物の受取人の前記端末の電話番号に関する情報も受け付け、
荷物の受取人の前記端末から受け付けた荷物の受取人の前記端末の電話番号が、前記配達会社の前記管理システムから配達完了通知を受け付ける際に受け付けた荷物の受取人の前記端末の電話番号と一致すると、荷物の受取人の前記端末に配達完了通知を送信することを特徴とする。
【０００９】
本発明の記録媒体は、
プロセッサにより実行される、配達員の顔認証を行うことにより配達員が所定のスペースに入ることを認容する複数のエッジ端末および配達会社の管理システムにそれぞれ通信可能に接続された管理サーバにより配達管理方法を行うためのプログラムが記録された記録媒体であって、
前記プロセッサが前記プログラムを実行することにより、
配達員のエリア情報および顔画像に関する情報を受け付け、
受け付けた配達員の顔画像に関する情報を、当該顔画像に対応する配達員により荷物が配達されるエリアの前記エッジ端末に送信することにより当該エッジ端末での配達員の顔認証を可能にし、
荷物の配達に関する情報を受け付け、
荷物の配達に関する情報を受け付けると、荷物の配達に関する情報を前記配達会社の前記管理システムに送信し、
荷物の配達に関する情報に紐づけられたトークン情報を前記配達会社の前記管理システムから受け付け、
前記配達会社の前記管理システムから配達完了通知を受け付け、
配達完了通知を受け付けると、荷物の受取人の端末に配達完了通知を送信する処理が行われるようになっており、
前記管理サーバにおいて、受け付けた荷物の配達に関する情報と受け付けたトークン情報とが紐づけられて管理され、
前記配達会社の前記管理システムから配達完了通知としてトークン情報を受け付け、
配達完了通知としてトークン情報を受け付けると、当該トークン情報に紐づけられている荷物の配達に関する情報に基づいて、荷物の受取人の前記端末に配達完了通知を送信することを特徴とする。
また、本発明の記録媒体は、
プロセッサにより実行される、配達員の顔認証を行うことにより配達員が所定のスペースに入ることを認容する複数のエッジ端末および配達会社の管理システムにそれぞれ通信可能に接続された管理サーバにより配達管理方法を行うためのプログラムが記録された記録媒体であって、
前記プロセッサが前記プログラムを実行することにより、
配達員のエリア情報および顔画像に関する情報を受け付け、
受け付けた配達員の顔画像に関する情報を、当該顔画像に対応する配達員により荷物が配達されるエリアの前記エッジ端末に送信することにより当該エッジ端末での配達員の顔認証を可能にし、
荷物の配達に関する情報を受け付け、
前記配達会社の前記管理システムから配達完了通知を受け付け、
配達完了通知を受け付けると、荷物の受取人の端末に配達完了通知を送信する処理が行われるようになっており、
荷物の配達に関する情報は、荷物の送り状番号に係る情報であり、
荷物の配達に関する情報として荷物の送り状番号に係る情報を受け付けると、荷物の送り状番号に係る情報を前記配達会社の前記管理システムに定期的に送信し、
配達完了通知を受け付けると、荷物の配達に関する情報を受け付けた前記端末に配達完了通知を送信することを特徴とする。
また、本発明の記録媒体は、
プロセッサにより実行される、配達員の顔認証を行うことにより配達員が所定のスペースに入ることを認容する複数のエッジ端末および配達会社の管理システムにそれぞれ通信可能に接続された管理サーバにより配達管理方法を行うためのプログラムが記録された記録媒体であって、
前記プロセッサが前記プログラムを実行することにより、
配達員のエリア情報および顔画像に関する情報を受け付け、
受け付けた配達員の顔画像に関する情報を、当該顔画像に対応する配達員により荷物が配達されるエリアの前記エッジ端末に送信することにより当該エッジ端末での配達員の顔認証を可能にし、
荷物の配達に関する情報を受け付け、
前記配達会社の前記管理システムから配達完了通知を受け付け、
配達完了通知を受け付けると、荷物の受取人の端末に配達完了通知を送信する処理が行われるようになっており、
荷物の配達に関する情報は、荷物の受取人の前記端末の電話番号であり、
前記配達会社の前記管理システムから配達完了通知を受け付ける際に荷物の受取人の前記端末の電話番号に関する情報も受け付け、
荷物の受取人の前記端末から受け付けた荷物の受取人の前記端末の電話番号が、前記配達会社の前記管理システムから配達完了通知を受け付ける際に受け付けた荷物の受取人の前記端末の電話番号と一致すると、荷物の受取人の前記端末に配達完了通知を送信することを特徴とする。
【発明の効果】
【００１０】
本発明の管理サーバ、配達管理方法、プログラムおよび記録媒体によれば、所定の配達員のみが所定のスペースに入ることを認容するとともに、この所定のスペースに入った配達員によって荷物の受取人により指定された場所に荷物が置かれたら受取人に配達完了通知を送ることができる。
【図面の簡単な説明】
【００１１】
【図１】本発明の実施の形態による配達管理システムを概略的に示す図である。
【図２】図１に示す配達管理システムにおける管理サーバの構成の一例を示す構成図である。
【図３】図２に示す管理サーバを用いた配達管理方法の流れを示す説明図である。
【図４】図１に示す配達管理システムにおける管理サーバの構成の他の例を示す構成図である。
【図５】図４に示す管理サーバを用いた配達管理方法の流れを示す説明図である。
【図６】図１に示す配達管理システムにおける管理サーバの構成の更に他の例を示す構成図である。
【図７】図６に示す管理サーバを用いた配達管理方法の流れを示す説明図である。
【発明を実施するための形態】
【００１２】
以下、図面を参照して本発明の実施の形態について説明する。図１乃至図７は、本実施の形態に係る管理サーバを備えた配達管理システムおよびこのような配達管理システムにより行われる配達管理方法を示す図である。
【００１３】
本実施の形態による配達管理システムの概要について図１を用いて説明する。図１に示すように、配達管理システムは管理サーバ１０を備えており、この管理サーバ１０は例えばインターネット回線等のネットワークを介して配達会社の管理システム４０および配達会社の各営業所の配達員管理システム４２Ａ〜４２Ｃにそれぞれ通信可能に接続されている。ここで、配達会社は、荷物の配達先を複数のエリア（例えば、エリアＡ〜エリアＣ）に区分けしており、各エリアに営業所が設置されている。そして、例えばエリアＡに設置されている営業所の配達員は、このエリアＡにある配達先に荷物を配達するようになっている。
【００１４】
また、例えばオートロック設備のある集合住宅においてエントランスにはエッジ端末４４Ａ〜４４Ｆが設置されている。各エッジ端末４４Ａ〜４４Ｆは、集合住宅の内部に入ろうとする人の顔認証を行うようになっており、集合住宅の内部に入ることが認められている人であると認証された場合にのみオートロック設備のロックが解除されて集合住宅の内部に入ることが可能となる。本実施の形態の配達管理システムではこれらのエッジ端末４４Ａ〜４４Ｆも例えばインターネット回線等のネットワークを介して管理サーバ１０に通信可能に接続されている。
【００１５】
また、管理サーバ１０には、荷物の受取人のスマートフォン等の端末５０も例えばインターネット回線等のネットワークを介して通信可能に接続されている。具体的には、ユーザのスマートフォン等の端末５０には配達確認アプリをインストールすることができるようになっており、このような配達確認アプリをユーザが使用しているときに管理サーバ１０と端末５０との間で通信を行うことができるようになる。このような端末５０の詳細については後述する。
【００１６】
次に、このような配達管理システムの各構成要素の詳細について説明する。
【００１７】
管理サーバ１０は例えばコンピュータ等から構成されており、当該管理サーバ１０は本実施の形態による配達管理方法を実施するものである。図２に示すように、管理サーバ１０は、ＣＰＵ等のプロセッサ１２と、メモリ（記録媒体）３０と、通信部３２とを有している。プロセッサ１２は、登録情報受付手段１４と、登録情報送信手段１６と、配達情報受付手段１８と、配達情報送信手段２０と、トークン情報受付手段２２と、配達完了通知受付手段２４と、配達完了通知送信手段２６とを有している。そして、プロセッサ１２は、メモリ３０に記憶されているプログラムを実行することにより各手段１４、１６、１８、２０、２２、２４、２６の処理を行うようになっている。
【００１８】
なお、プロセッサ１２により実行されるプログラムはメモリ３０に記憶されているものに限定されることはない。外部装置から管理サーバ１０に送信されたプログラムや、管理サーバ１０に着脱自在に装着される記録媒体に記憶されているプログラムをプロセッサ１２が実行することにより、各手段１４、１６、１８、２０、２２、２４、２６の処理が行われてもよい。また、プロセッサ１２は、通信部３２によりインターネット回線等のネットワークを介して配達会社の管理システム４０、配達会社の営業所の各配達員管理システム４２Ａ〜４２Ｃ、各エッジ端末４４Ａ〜４４Ｆ、荷物の受取人の端末５０等と信号の送受信を行うようになっている。
【００１９】
登録情報受付手段１４は、配達員のエリア情報および顔画像に関する情報を受け付ける。登録情報送信手段１６は、登録情報受付手段１４により受け付けた配達員の顔画像に関する情報を、当該顔画像に対応する配達員により荷物が配達されるエリアのエッジ端末４４Ａ〜４４Ｆに送信することにより当該エッジ端末４４Ａ〜４４Ｆでの配達員の顔認証を可能にする。配達情報受付手段１８は、荷物の配達に関する情報（具体的には、例えば荷物の受取人の端末の電話番号）を受け付ける。配達情報送信手段２０は、配達情報受付手段１８により荷物の配達に関する情報を受け付けると、荷物の配達に関する情報を配達会社の管理システム４０に送信する。トークン情報受付手段２２は、荷物の配達に関する情報に紐づけられたトークン情報を配達会社の管理システム４０から受け付ける。配達完了通知受付手段２４は、配達会社の管理システム４０から配達完了通知（具体的には、トークン情報）を受け付ける。配達完了通知送信手段２６は、配達完了通知受付手段２４により配達完了通知を受け付けると、荷物の受取人の端末５０に配達完了通知を送信する。これらの各手段１４、１６、１８、２０、２２、２４、２６の機能の詳細については後述する。
【００２０】
配達会社の管理システム４０は、全体の荷物の配達状況を管理するようになっている。例えば、集荷所である荷物の配達が受け付けられると、管理システム４０はこの荷物の配達状況の管理を開始し、現在この荷物がどこにあるかを追跡する。また、管理システム４０は、例えば配達員の端末から配達完了通知を受け取ると、荷物の配達が完了したと判断する。
【００２１】
各営業所に設置されている配達員管理システム４２Ａ〜４２Ｃは、この営業所の配達員の情報を管理する。具体的には、各営業所にはパーソナルコンピュータ等が設置されており、このパーソナルコンピュータを操作することにより各営業所に対応する配達員管理システム４２Ａ〜４２Ｃにアクセスすることができるようになっている。より詳細に説明すると、各配達員管理システム４２Ａ〜４２Ｃは、対応する営業所の配達員の識別情報（例えば、配達員の氏名および社員番号）と、配達員の顔画像に関する情報とを管理する。配達員の顔画像に関する情報とは、配達員の顔画像データそのものであってもよく、あるいは配達員の顔画像データから所定のハッシュ関数により求めたハッシュ値であってもよい。また、営業所の所長等の管理者は営業所に設置しているパーソナルコンピュータを操作することによりこの営業所に対応する配達員管理システム４２Ａ〜４２にアクセスして配達員の情報の追加、修正、削除等を行うことができるようになっている。なお、各営業所の配達員管理システム４２Ａ〜４２Ｃにより管理される配達員の情報は、この配達員管理システム４２Ａ〜４２Ｃに対応する営業所に所属する配達員の情報に限られ、他の営業所に所属する配達員の情報は管理されない。また、各配達員管理システム４２Ａ〜４２は配達会社の管理システム４０にも通信可能に接続されている。
【００２２】
各エッジ端末４４Ａ〜４４Ｆは、例えばオートロック設備のある集合住宅においてエントランスに設置されるものであり、配達員の顔認証を行うことにより配達員が所定のスペースに入ることを認容するものである。具体的には、各エッジ端末４４Ａ〜４４Ｆには、これらのエッジ端末４４Ａ〜４４Ｆが設置されているエリアの営業所の配達員の顔画像に関する情報（配達員の顔画像データそのものまたはハッシュ値）が記録されている。また、各エッジ端末４４Ａ〜４４Ｆは例えばカメラを有しており、カメラにより撮像された配達員の顔画像に関する情報が、当該エッジ端末４４Ａ〜４４Ｆに記録されている配達員の顔画像に関する情報と略一致する場合には、オートロック設備のロックが解除されて配達員は集合住宅の内部に入ることが可能となる。具体的には、各エッジ端末４４Ａ〜４４Ｆのカメラにより撮像された配達員の顔画像データと、各エッジ端末４４Ａ〜４４Ｆに記録されている配達員の顔画像データとの一致率が所定の閾値（例えば、９０％）を超える場合には、オートロック設備のロックが解除されて配達員は集合住宅の内部に入ることが可能となる。あるいは、配達員の顔画像データではなくハッシュ値が配達員の顔画像に関する情報として各エッジ端末４４Ａ〜４４Ｆに記録されている場合は、各エッジ端末４４Ａ〜４４Ｆのカメラにより撮像された配達員の顔画像データからハッシュ関数により算出されるハッシュ値と、各エッジ端末４４Ａ〜４４Ｆに記録されている各配達員のハッシュ値との一致率が所定の閾値（例えば、９０％）を超える場合には、オートロック設備のロックが解除されて配達員は集合住宅の内部に入ることが可能となる。
【００２３】
ここで、例えばエリアＡの営業所の配達員がエリアＡ内で配達を行う動作について説明する。まず、エリアＡの営業所に所属する配達員Ａ、Ｂ等は、このエリアＡの営業所の配達員管理システム４２Ａに配達員の識別情報（例えば、配達員の氏名および社員番号）および配達員の顔画像に関する情報を登録する。登録された情報は配達員管理システム４２Ａから管理サーバ１０に送信される。このことにより、管理サーバ１０の登録情報受付手段１４は、配達員のエリア情報（すなわち、配達員がエリアＡで配達を行うという情報）、識別情報および顔画像に関する情報を受け付ける。また、管理サーバ１０の登録情報送信手段１６は、登録情報受付手段１４により受け付けた配達員の顔画像に関する情報を、当該顔画像に対応する配達員により荷物が配達されるエリアＡのエッジ端末４４Ａ、４４Ｂに送信する。このことにより、エッジ端末４４Ａ、４４Ｂには、これらのエッジ端末４４Ａ、４４Ｂが設置されているエリアＡの営業所の配達員Ａ、Ｂの顔画像に関する情報が記録される。具体的には、配達員Ａ、Ｂの顔画像データそのものまたは配達員Ａ、Ｂの顔画像データから抽出されたハッシュ値がエッジ端末４４Ａ、４４Ｂに記録される。
【００２４】
このことにより、エリアＡにおいて例えばオートロック設備のある集合住宅で配達員Ａが置き配を行う場合は、この集合住宅のエントランスに設置されているエッジ端末Ａで顔認証を行うことにより当該集合住宅の内部に入ることが可能となる。また、エッジ端末Ａで配達員Ａの顔認証が行われると、エッジ端末Ａ（エッジ端末４４Ａ）から顔認証の結果に係る情報が管理サーバ１０に送信される。このことにより、管理サーバ１０は配達員Ａの集合住宅への入場履歴の管理を行うことができるようになる。
【００２５】
一方、エリアＡの営業所に所属する配達員ＡがエリアＢの集合住宅の内部に入ろうとした場合は、このエリアＢにあるエッジ端末Ｃ、Ｄ（エッジ端末４４Ｃ、４４Ｄ）には配達員Ａの顔画像に関する情報は記録されていないため、エッジ端末Ｃ、Ｄによる配達員Ａの顔認証を行うことができずこの配達員ＡはエリアＢの集合住宅の内部に入ることができない。
【００２６】
このように、本実施の形態では、配達員が置き配を行う場合にエリア毎に配達員の入場管理を行うことにより、管理上のトラブルを抑制することができるようになる。具体的には、あるエリアの営業所に所属する配達員が、別のエリアの集合住宅の内部に入ることができないようにすることにより、例えば集合住宅で不法侵入者の通報等のトラブルがあった場合でも配達会社はこの集合住宅に入ることができる配達員が限られた者であることを示すことができる。また、本実施の形態では、配達員の入場管理を行うにあたり、エリア管理に加え時間管理も行うことができるようになっていてもよい。具体的には、配達営業時間を限定することができるようになっていてもよい。
【００２７】
また、各エッジ端末４４Ａ〜４４Ｆにおいてある配達員の顔認証が所定の期間（例えば、１カ月）行われなかった場合には、管理サーバ１０はこの配達員の顔認証が所定の期間行われなかったという情報を当該配達員が所属する営業所の配達員管理システム４２Ａ〜４２Ｃに送信し、この情報を営業所に設置されているパーソナルコンピュータのモニタに表示させる。このことにより、営業所の管理者は、例えば配達員が退職したのに配達員管理システム４２Ａ〜４２Ｃからこの配達員の情報を除去することを忘れていたことに気づくことができるようになる。
【００２８】
次に、荷物を配達する際の出品から配達完了までの流れについて説明する。例えばＥＣ（電子商取引）の出品者等、配達元の人（荷物の配達を行いたい人）は、配達会社の伝票に配達先の情報を記入することにより送り状を作成し、集荷所に荷物および送り状を持ち込む。集荷所で受付が行われると、集荷所にあるコンピュータにより配達の登録を行う。この際に、登録情報として、配達元（荷物の配達を行いたい人）の住所および電話番号、ならびに配達先の受取人の住所および電話番号に係る情報等がコンピュータに入力される。コンピュータに入力された登録情報は配達会社の管理システム４０に送信される。また、集荷所のコンピュータは配達会社の管理システム４０と通信を行うことにより管理システム４０から送り状番号が発行され、管理システム４０では送り状番号と登録情報とが紐づけられて記録される。また、送り状番号に係る情報が管理システム４０から集荷所のコンピュータに送信される。このことにより、荷物の配達を行いたい人に送り状番号が通知される。具体的には、送り状番号が付された控えが荷物の配達を行いたい人に手渡される。その後、荷物および伝票を受け取った集荷所から、この荷物の配達先のエリアの営業所に荷物および伝票が輸送される。このような荷物等の輸送は配達会社の管理システム４０により管理される。
【００２９】
荷物の配達先のエリアの営業所に荷物および伝票が輸送されると、この営業所の配達員は荷物を配達先に配達する。配達員が荷物の受取人に荷物を直接手渡したり、荷物の受取人により指定された場所に荷物を置いたりすることにより荷物の配達が完了すると、配達員はスマートフォン等の端末により配達完了通知を配達会社の管理システム４０に送信する。このことにより、配達会社の管理システム４０は、荷物の配達が完了したことを認識することができる。
【００３０】
荷物を集荷所に預けた人は、例えば配達会社のウエブサイトにおいて送り状番号を入力することにより荷物の配達状況を知ることができるようになっている。具体的には、配達会社のウエブサイトにおいて送り状番号が入力されると、送り状番号に係る情報が配達会社の管理システム４０に送信される。また、上述したように配達会社の管理システム４０は荷物の配達状況を管理しているため、現在荷物がどこにあるかおよびいつ荷物が受取人に配達されるか等の情報を管理システム４０はウエブサイトに表示させる。このように、本実施の形態では荷物を集荷所に預けた人は送り状番号に基づいて荷物の配達状況を知ることができるようになっている。また、荷物の受取人も、送り状番号に係る情報をＥＣ（電子商取引）の出品者等、配達元の人から教えてもらうことにより、配達会社のウエブサイト等において荷物の配達状況を知ることができる。
【００３１】
次に、配達員が置き配を行った場合に受取人に置き配が行われたことを通知する動作について図３を用いて説明する。
【００３２】
最初に、置き配サービスを利用しようとする受取人は荷物の配達に関する情報の登録を行う。具体的には、置き配サービスを利用しようとする受取人は、まずスマートフォン等の端末５０に配達確認アプリをインターネットの配信サイト等からインストールする。そして、受取人は、置き配サービスを利用する際に荷物の配達に関する情報を端末５０に入力する。具体的には、図３の左上に示す端末５０の配達確認アプリの画面においてこの端末５０の電話番号を入力することによりお届け先番号登録を行う。お届け先番号登録を行うと、端末５０には「お届け先電話番号として登録完了しました。」というメッセージが表示される。
【００３３】
置き配サービスを利用しようとする受取人が端末５０によりお届け先番号登録を行うと、荷物の配達に関する情報が端末５０から管理サーバ１０に送信される（図３の（１））。このことにより、管理サーバ１０の配達情報受付手段１８は、荷物の配達に関する情報（具体的には、荷物の受取人の端末５０の電話番号に係る情報）を受け付ける。そして、管理サーバ１０の配達情報送信手段２０は、配達情報受付手段１８により荷物の配達に関する情報を受け付けると、荷物の配達に関する情報（すなわち、荷物の受取人の端末５０の電話番号に係る情報）を配達会社の管理システム４０に送信する（図３の（２））。
【００３４】
配達会社の管理システム４０は、管理サーバ１０から荷物の配達に関する情報（具体的には、荷物の受取人の端末の電話番号に係る情報）を受け付けると、この荷物の配達に関する情報に対応するトークン情報を発行する。トークン情報とは、荷物の配達に関する情報（具体的には、荷物の受取人の端末の電話番号に係る情報）に１対１で対応する例えば数桁または数十桁の数字やローマ字を組み合わせたものである。配達会社の管理システム４０では、荷物の配達に関する情報および発行されたトークン情報が紐づけられた状態で記録される。また、管理システム４０は、発行されたトークン情報を管理サーバ１０に返信する（図３の（３））。このことにより、管理サーバ１０のトークン情報受付手段２２は、荷物の配達に関する情報に紐づけられたトークン情報を配達会社の管理システム４０から受け付ける。管理サーバ１０のメモリ３０には、荷物の配達に関する情報および発行されたトークン情報が紐づけられた状態で記録される。このようにして、管理サーバ１０における荷物の配達に関する情報の登録が完了する。
【００３５】
次に、配達員が実際に置き配を行った場合に受取人に置き配が行われたことを通知する動作について説明する。荷物の受取人により指定された場所に配達員が荷物を置くことにより荷物の配達が完了すると、配達員はスマートフォン等の端末により配達完了通知（具体的には、荷物の配達が完了した送り状番号）を配達会社の管理システム４０に送信する（図３の（４））。このことにより、配達会社の管理システム４０は、荷物の配達が完了したことを認識する。また、配達員がスマートフォン等の端末により配達完了通知として送り状番号を配達会社の管理システム４０に送信すると、送り状番号に紐づけられて管理システム４０に記録されている登録情報のうち荷物の受取人の端末５０の電話番号が、発行されたトークン情報に紐づけられて管理システム４０に記録されている荷物の受取人の端末５０の電話番号に一致する場合には、この端末５０の電話番号に対応するトークン情報が配達完了通知として配達会社の管理システム４０から管理サーバ１０に送信される（図３の（５））。
【００３６】
管理サーバ１０の配達完了通知受付手段２４は、配達会社の管理システム４０から配達完了通知としてトークン情報を受け付けると、配達完了通知送信手段２６は、この受け付けたトークン情報に紐づけられている端末５０の電話番号に基づいて、荷物の受取人の端末５０に配達完了通知を送信する（図３の（６））。このことにより、荷物の受取人の端末５０の配達確認アプリが起動され、図３の左下に示すように「○○運輸により置き配があります」というメッセージが画面に表示される。このようにして、荷物の受取人は置き配が行われたことを認識することができる。
【００３７】
このような管理サーバ１０および当該管理サーバ１０による配達管理方法によれば、配達員によって荷物の受取人により指定された場所に荷物が置かれたら受取人に配達完了通知を送ることができる。とりわけ、配達員がスマートフォン等の端末により配達完了通知を配達会社の管理システム４０に送信すると、配達会社の管理システム４０からトークン情報が配達完了通知として管理サーバ１０に即座に送信された後、管理サーバ１０から荷物の受取人の端末５０に配達完了通知が即座に送信されるため、置き配が行われたことを受取人はリアルタイムで知ることができる。また、荷物の受取人は、荷物の配達に関する情報として端末５０の電話番号だけではなく自宅の電話番号も登録する等、様々な組み合わせで登録することができる。また、配達会社の管理システム４０から管理サーバ１０には荷物の配達に関する情報ではなくトークン情報が送信されるため、配達員による荷物の配達が行われるときに荷物の配達に関する情報が外部に漏洩してしまうことを抑制することができる。
【００３８】
また、配達会社の管理システム４０は荷物の配達に関する情報そのものではなく当該管理システム４０に記録されているトークン情報を管理サーバ１０に送信するため、管理サーバ１０は管理システム４０から荷物の配達に関する情報を受け付ける場合と比較して処理負荷を格段に下げることができる。具体的には、宅配サービスを行う全ての受取人が管理サーバ１０に荷物の配達に関する情報を登録するのではなく、このような登録を行うのは受取人の一部である。このため、配達会社の管理システム４０において荷物の配達に関する情報および発行されたトークン情報が紐づけられた状態で記録されるのは、一部の受取人のみである。このことにより、配達員から配達完了通知が配達会社の管理システム４０に送られた後、トークン情報が管理システム４０から管理サーバ１０に送られるのも一部の受取人についてのみであるため、管理サーバ１０が受け付ける情報量は、例えば宅配サービスを行う全ての受取人の電話番号や送り状番号が管理システム４０から管理サーバ１０に送られる場合と比較して格段に少なくなる。このため、管理サーバ１０の処理が滞ってしまうことを抑制することができる。
【００３９】
なお、図１乃至図３に示す管理サーバ１０や荷物配達方法において、配達情報受付手段１８により受け付ける荷物の配達に関する情報は、荷物の受取人の端末５０の電話番号に限定されることはない。配達情報受付手段１８により受け付ける荷物の配達に関する情報の他の例として、荷物の受取人のメールアドレス、荷物の受取人の端末５０の識別番号、荷物の受取人のＳＮＳのアカウント名等、荷物の受取人の端末５０の電話番号以外の様々な情報が用いられてもよい。
【００４０】
また、本実施の形態による管理サーバや配達管理方法は上述した態様に限定されることはない。図４および図５は、管理サーバや配達管理方法の他の態様を示す図である。このうち、図４は、図１に示す配達管理システムにおける管理サーバの構成の他の例（管理サーバ１０ａ）を示す構成図であり、図５は、図４に示す管理サーバ１０ａを用いた配達管理方法の流れを示す説明図である。
【００４１】
変形例に係る管理サーバ１０ａは例えばコンピュータ等から構成されており、当該管理サーバ１０ａは本実施の形態による他の配達管理方法を実施するものである。図４に示すように、管理サーバ１０ａは、ＣＰＵ等のプロセッサ１２ａと、メモリ（記録媒体）３０ａと、通信部３２ａとを有している。プロセッサ１２ａは、登録情報受付手段１４ａと、登録情報送信手段１６ａと、配達情報受付手段１８ａと、送り状番号送信手段２０ａと、配達完了通知受付手段２４ａと、配達完了通知送信手段２６ａとを有している。そして、プロセッサ１２ａは、メモリ３０ａに記憶されているプログラムを実行することにより各手段１４ａ、１６ａ、１８ａ、２０ａ、２４ａ、２６ａの処理を行うようになっている。
【００４２】
なお、プロセッサ１２ａにより実行されるプログラムはメモリ３０ａに記憶されているものに限定されることはない。外部装置から管理サーバ１０ａに送信されたプログラムや、管理サーバ１０ａに着脱自在に装着される記録媒体に記憶されているプログラムをプロセッサ１２ａが実行することにより、各手段１４ａ、１６ａ、１８ａ、２０ａ、２４ａ、２６ａの処理が行われてもよい。また、プロセッサ１２ａは、通信部３２ａによりインターネット回線等のネットワークを介して配達会社の管理システム４０、配達会社の営業所の各配達員管理システム４２Ａ〜４２Ｃ、各エッジ端末４４Ａ〜４４Ｆ、荷物の受取人の端末５０等と信号の送受信を行うようになっている。
【００４３】
登録情報受付手段１４ａは、配達員のエリア情報および顔画像に関する情報を受け付ける。登録情報送信手段１６ａは、登録情報受付手段１４ａにより受け付けた配達員の顔画像に関する情報を、当該顔画像に対応する配達員により荷物が配達されるエリアのエッジ端末４４Ａ〜４４Ｆに送信することにより当該エッジ端末４４Ａ〜４４Ｆでの配達員の顔認証を可能にする。なお、登録情報受付手段１４ａおよび登録情報送信手段１６ａは、図２等に示す管理サーバ１０の登録情報受付手段１４および登録情報送信手段１６と略同一の機能を有するため、詳細の説明を省略する。配達情報受付手段１８ａは、荷物の配達に関する情報（具体的には、送り状番号）を受け付ける。送り状番号送信手段２０ａは、配達情報受付手段１８ａにより送り状番号を受け付けると、この送り状番号を配達会社の管理システム４０に送信する。配達完了通知受付手段２４ａは、配達会社の管理システム４０から配達完了通知を受け付ける。配達完了通知送信手段２６ａは、配達完了通知受付手段２４ａにより配達完了通知を受け付けると、荷物の受取人の端末５０に配達完了通知を送信する。これらの各手段１８ａ、２０ａ、２４ａ、２６ａの機能の詳細については後述する。
【００４４】
次に、図４に示すような管理サーバ１０ａを用いた場合において、配達員が置き配を行った場合に受取人に置き配が行われたことを通知する動作について図５を用いて説明する。
【００４５】
最初に、置き配サービスを利用しようとする受取人は荷物の配達に関する情報の登録を行う。具体的には、置き配サービスを利用しようとする受取人は、まずスマートフォン等の端末５０に配達確認アプリをインターネットの配信サイト等からインストールする。そして、受取人は、置き配サービスを利用する際に荷物の配達に関する情報を端末５０に入力する。なお、図４および図５に示すような管理サーバ１０ａおよび配達管理方法において、荷物の配達に関する情報に送り状番号が含まれる。具体的には、受取人はまず配達元の人（荷物の配達を行いたい人）から送り状番号および配達会社の名前（配達業者名）を教えてもらう。このことにより、受取人は配達会社のウエブサイト等において送り状番号を入力することにより荷物の配達状況を知ることができるようになる。また、受取人は、端末５０において配達確認アプリを起動させた後、図５の左上に示す端末５０の配達確認アプリの画面において送り状番号および配達会社の名前を入力することにより送り状番号登録を行う。送り状番号登録を行うと、端末５０には「送り状番号を登録しました。配達状況を確認します。」というメッセージが表示される。
【００４６】
置き配サービスを利用しようとする受取人が端末５０により送り状番号登録を行うと、荷物の配達に関する情報（具体的には、送り状番号）が端末５０から管理サーバ１０ａに送信される（図５の（１））。このことにより、管理サーバ１０ａの配達情報受付手段１８ａは、荷物の配達に関する情報を受け付ける。そして、配達情報受付手段１８ａにより荷物の配達に関する情報（具体的には、送り状番号）を受け付けると、管理サーバ１０ａの送り状番号送信手段２０ａは送り状番号を、受取人により端末５０に入力された配達会社の管理システム４０に定期的に送信する（図５の（２））。
【００４７】
配達会社の管理システム４０は、管理サーバ１０ａから送り状番号を受け付けると、この送り状番号に対応する荷物の配達において配達員から配達完了通知を受け付けているか否かを確認する。そして、配達会社の管理システム４０は、配達状況に係る情報を管理サーバ１０ａに返信する（図５の（３））。具体的には、配達会社の管理システム４０は、管理サーバ１０ａから受け付けた送り状番号に対応する荷物の配達において配達員から配達完了通知を受け付けていない場合には、配達が完了していない旨の情報を管理サーバ１０ａに返信する。一方、荷物の受取人により指定された場所に配達員が荷物を置くことにより荷物の配達が完了すると、配達員はスマートフォン等の端末により配達完了通知（具体的には、荷物の配達が完了した送り状番号）を配達会社の管理システム４０に送信する（図５の（４））。また、配達員がスマートフォン等の端末により配達完了通知として送り状番号を配達会社の管理システム４０に送信すると、配達会社の管理システム４０は、管理サーバ１０ａから受け付けた送り状番号に対応する荷物の配達が完了したことを認識する。そして、配達会社の管理システム４０は、配達が完了した旨の情報を送り状番号とともに管理サーバ１０ａに送信する。このようにして、管理サーバ１０ａの配達完了通知受付手段２４ａは、配達会社の管理システム４０から配達完了通知を受け付ける。
【００４８】
管理サーバ１０ａの配達完了通知受付手段２４ａが配達会社の管理システム４０から配達完了通知を受け付けると、配達完了通知送信手段２６ａは、送り状番号を登録したユーザの端末５０に配達完了通知を送信する（図５の（５））。このことにより、荷物の受取人の端末５０の配達確認アプリが起動され、図５の左下に示すように「○○運輸により置き配があります」というメッセージが画面に表示される。このようにして、荷物の受取人は置き配が行われたことを認識することができる。
【００４９】
このような管理サーバ１０ａおよび当該管理サーバ１０ａによる配達管理方法によれば、配達員によって荷物の受取人により指定された場所に荷物が置かれたら受取人に配達完了通知を送ることができる。とりわけ、受取人により送り状番号を端末５０の配達確認アプリに入力してもらうことができるため、この情報に基づいて配達会社に問い合わせることが可能である。また、ＡＰＩでのデータ問い合わせのみで他のシステムとの連動が発生しないため、比較的容易に配達管理システムを構築することができる。一方、管理サーバ１０ａの送り状番号送信手段２０ａは送り状番号を配達会社の管理システム４０に定期的に送信し、配達会社の管理システム４０は管理サーバ１０ａから送り状番号を受け付けると配達状況に係る情報を管理サーバ１０ａに返信するため、配達員が荷物の配達を完了してから受取人の端末５０に配達完了通知が送信されるまでタイムラグが生じるおそれがある。
【００５０】
また、図６および図７は、管理サーバや配達管理方法の更に他の態様を示す図である。このうち、図６は、図１に示す配達管理システムにおける管理サーバの構成の更に他の例（管理サーバ１０ｂ）を示す構成図であり、図７は、図６に示す管理サーバ１０ｂを用いた配達管理方法の流れを示す説明図である。
【００５１】
更なる変形例に係る管理サーバ１０ｂは例えばコンピュータ等から構成されており、当該管理サーバ１０ｂは本実施の形態による更に他の配達管理方法を実施するものである。図６に示すように、管理サーバ１０ｂは、ＣＰＵ等のプロセッサ１２ｂと、メモリ（記録媒体）３０ｂと、通信部３２ｂとを有している。プロセッサ１２ｂは、登録情報受付手段１４ｂと、登録情報送信手段１６ｂと、配達情報受付手段１８ｂと、配達完了通知受付手段２４ｂと、配達完了通知送信手段２６ｂとを有している。そして、プロセッサ１２ｂは、メモリ３０ｂに記憶されているプログラムを実行することにより各手段１４ｂ、１６ｂ、１８ｂ、２４ｂ、２６ｂの処理を行うようになっている。
【００５２】
なお、プロセッサ１２ｂにより実行されるプログラムはメモリ３０ｂに記憶されているものに限定されることはない。外部装置から管理サーバ１０ｂに送信されたプログラムや、管理サーバ１０ｂに着脱自在に装着される記録媒体に記憶されているプログラムをプロセッサ１２ｂが実行することにより、各手段１４ｂ、１６ｂ、１８ｂ、２４ｂ、２６ｂの処理が行われてもよい。また、プロセッサ１２ｂは、通信部３２ｂによりインターネット回線等のネットワークを介して配達会社の管理システム４０、配達会社の営業所の各配達員管理システム４２Ａ〜４２Ｃ、各エッジ端末４４Ａ〜４４Ｆ、荷物の受取人の端末５０等と信号の送受信を行うようになっている。
【００５３】
登録情報受付手段１４ｂは、配達員のエリア情報および顔画像に関する情報を受け付ける。登録情報送信手段１６ｂは、登録情報受付手段１４ｂにより受け付けた配達員の顔画像に関する情報を、当該顔画像に対応する配達員により荷物が配達されるエリアのエッジ端末４４Ａ〜４４Ｆに送信することにより当該エッジ端末４４Ａ〜４４Ｆでの配達員の顔認証を可能にする。なお、登録情報受付手段１４ｂおよび登録情報送信手段１６ｂは、図２等に示す管理サーバ１０の登録情報受付手段１４および登録情報送信手段１６と略同一の機能を有するため、詳細の説明を省略する。配達情報受付手段１８ｂは、荷物の配達に関する情報（具体的には、荷物の受取人の端末の電話番号）を受け付ける。配達完了通知受付手段２４ｂは、配達会社の管理システム４０から配達完了通知を受け付ける。配達完了通知送信手段２６ｂは、配達完了通知受付手段２４ｂにより配達完了通知を受け付けると、荷物の受取人の端末５０に配達完了通知を送信する。これらの各手段１８ｂ、２４ｂ、２６ｂの機能の詳細については後述する。
【００５４】
次に、図６に示すような管理サーバ１０ｂを用いた場合において、配達員が置き配を行った場合に受取人に置き配が行われたことを通知する動作について図７を用いて説明する。
【００５５】
最初に、置き配サービスを利用しようとする受取人は荷物の配達に関する情報の登録を行う。具体的には、置き配サービスを利用しようとする受取人は、まずスマートフォン等の端末５０に配達確認アプリをインターネットの配信サイト等からインストールする。そして、受取人は、置き配サービスを利用する際に荷物の配達に関する情報を端末５０に入力する。なお、図６および図７に示すような管理サーバ１０ｂおよび配達管理方法において、荷物の配達に関する情報に荷物の受取人の端末５０の電話番号が含まれる。具体的には、受取人は端末５０において配達確認アプリを起動させた後、図７の左上に示す端末５０の配達確認アプリの画面において端末５０の電話番号を入力することによりお届け先番号登録を行う。お届け先番号登録を行うと、端末５０には「お届け先電話番号として登録完了しました。」というメッセージが表示される。
【００５６】
置き配サービスを利用しようとする受取人が端末５０によりお届け先番号登録を行うと、荷物の配達に関する情報が端末５０から管理サーバ１０ｂに送信される（図７の（１））。このことにより、管理サーバ１０ｂの配達情報受付手段１８ｂは、荷物の配達に関する情報（具体的には、荷物の受取人の端末の電話番号に係る情報）を受け付ける。
【００５７】
次に、配達員が実際に置き配を行った場合に受取人に置き配が行われたことを通知する動作について説明する。荷物の受取人により指定された場所に配達員が荷物を置くことにより荷物の配達が完了すると、配達員はスマートフォン等の端末により配達完了通知（具体的には、荷物の配達が完了した送り状番号）を配達会社の管理システム４０に送信する（図７の（２））。このことにより、配達会社の管理システム４０は、この送り状番号に関する荷物の配達が完了したことを認識する。また、配達員がスマートフォン等の端末により配達完了通知として送り状番号を配達会社の管理システム４０に送信すると、送り状番号に紐づけられて管理システム４０に記録されている登録情報のうち荷物の受取人の端末５０の電話番号が配達完了通知として配達会社の管理システム４０から管理サーバ１０ｂに送信される（図７の（３））。
【００５８】
管理サーバ１０ｂの配達完了通知受付手段２４ｂは、配達会社の管理システム４０から配達完了通知として荷物の受取人の端末５０の電話番号を受け付ける。そして、配達完了通知送信手段２６ｂは、配達会社の管理システム４０から受け付けた端末５０の電話番号が、最初に荷物の受取人の端末５０から配達情報受付手段１８ｂが受け付けた端末５０の電話番号と一致する場合には、荷物の受取人の端末５０に配達完了通知を送信する（図７の（４））。このことにより、荷物の受取人の端末５０の配達確認アプリが起動され、図７の左下に示すように「○○運輸により置き配があります」というメッセージが画面に表示される。このようにして、荷物の受取人は置き配が行われたことを認識することができる。
【００５９】
このような管理サーバ１０ｂおよび当該管理サーバ１０ｂによる配達管理方法によれば、配達員によって荷物の受取人により指定された場所に荷物が置かれたら受取人に配達完了通知を送ることができる。とりわけ、配達員がスマートフォン等の端末により配達完了通知を配達会社の管理システム４０に送信すると、配達会社の管理システム４０から荷物の受取人の端末５０の電話番号が配達完了通知として管理サーバ１０ｂに即座に送信される。そして、管理サーバ１０ｂが配達会社の管理システム４０から受け付けた端末５０の電話番号が、最初に配達情報受付手段１８ｂが受け付けた端末５０の電話番号と一致する場合には、管理サーバ１０ｂから荷物の受取人の端末５０に配達完了通知が即座に送信される。このため、置き配が行われたことを受取人はリアルタイムで知ることができる。また、荷物の受取人は、荷物の配達に関する情報として端末５０の電話番号だけではなく自宅の電話番号も登録する等、様々な組み合わせで登録することができる。
【００６０】
なお、本発明による管理サーバや配達管理方法は、上述したような態様に限定されることはなく、様々な変更を加えることができる。
【００６１】
例えば、管理サーバ１０、１０ａ、１０ｂの変形例として、プロセッサ１２、１２ａ、１２ｂが登録情報受付手段１４、１４ａ、１４ｂおよび登録情報送信手段１６、１６ａ、１６ｂを有するが、配達情報受付手段１８、１８ａ、１８ｂ、配達情報送信手段２０、送り状番号送信手段２０ａ、トークン情報受付手段２２、配達完了通知受付手段２４、２４ａ、２４ｂ、配達完了通知送信手段２６、２６ａ、２６ｂを有さないものが用いられてもよい。このような変形例に係る管理サーバ１０、１０ａ、１０ｂでは、プロセッサ１２、１２ａ、１２ｂが登録情報受付手段１４、１４ａ、１４ｂおよび登録情報送信手段１６、１６ａ、１６ｂを有することにより、配達員が置き配を行う場合にエリア毎に配達員の入場管理を行うことにより、管理上のトラブルを抑制することができるようになる。具体的には、あるエリアの営業所に所属する配達員が、別のエリアの集合住宅の内部に入ることができないようにすることにより、例えば集合住宅で不法侵入者の通報等のトラブルがあった場合でも配達会社はこの集合住宅に入ることができる配達員が限られた者であることを示すことができる。
【００６２】
また、管理サーバ１０、１０ａ、１０ｂの更なる変形例として、プロセッサ１２、１２ａ、１２ｂが配達情報受付手段１８、１８ａ、１８ｂ、配達情報送信手段２０、送り状番号送信手段２０ａ、トークン情報受付手段２２、配達完了通知受付手段２４、２４ａ、２４ｂ、配達完了通知送信手段２６、２６ａ、２６ｂを有するが、登録情報受付手段１４、１４ａ、１４ｂおよび登録情報送信手段１６、１６ａ、１６ｂを有さないものが用いられてもよい。このような更なる変形例に係る管理サーバ１０、１０ａ、１０ｂでは、配達員によって荷物の受取人により指定された場所に荷物が置かれたら（言い換えると、置き配が行われたら）、受取人に配達完了通知を送ることができる。
【符号の説明】
【００６３】
１０、１０ａ、１０ｂ  管理サーバ
１２、１２ａ、１２ｂ  プロセッサ
１４、１４ａ、１４ｂ  登録情報受付手段
１６、１６ａ、１６ｂ  登録情報送信手段
１８、１８ａ、１８ｂ  配達情報受付手段
２０    配達情報送信手段
２０ａ  送り状番号送信手段
２２    トークン情報受付手段
２４、２４ａ、２４ｂ  配達完了通知受付手段
２６、２６ａ、２６ｂ  配達完了通知送信手段
３０、３０ａ、３０ｂ  メモリ
３２、３２ａ、３２ｂ  通信部
４０    管理システム
４２Ａ、４２Ｂ、４２Ｃ  配達員管理システム
４４Ａ、４４Ｂ、４４Ｃ、４４Ｄ、４４Ｅ、４４Ｆ  エッジ端末
５０    荷物の受取人の端末
【要約】
【課題】所定の配達員のみが所定のスペースに入ることを認容するとともに、この所定のスペースに入った配達員によって荷物の受取人により指定された場所に荷物が置かれたら受取人に配達完了通知を送ることができる管理サーバ、配達管理方法、プログラムおよび記録媒体を提供する。
【解決手段】管理サーバ１０は、配達員のエリア情報および顔画像に関する情報を受け付ける登録情報受付手段１４と、受け付けた配達員の顔画像に関する情報を、当該顔画像に対応する配達員により荷物が配達されるエリアのエッジ端末４４Ａ〜４４Ｆに送信する登録情報送信手段１６と、荷物の配達に関する情報を受け付ける配達情報受付手段１８と、配達完了通知を受け付ける配達完了通知受付手段２４と、配達完了通知を受け付けると、荷物の受取人の端末５０に配達完了通知を送信する配達完了通知送信手段２６とを備えている。
【選択図】図１【図１】
0006829789.tif 000002
【図２】
0006829789.tif 000003
【図３】
0006829789.tif 000004
【図４】
0006829789.tif 000005
【図５】
0006829789.tif 000006
【図６】
0006829789.tif 000007
【図７】
0006829789.tif 000008